(57)【要約】【課題】  自己調芯型コネクタを少ない部品点数で安価に製造可能にする。【解決手段】  自己調芯型コネクタ１は、互いに嵌合可能な構造のプラグコネクタハウジング１０及びレセプタクルコネクタハウジング２０を備えて構成される。プラグコネクタハウジング１０は、一体成形により形成された複数の取付アーム部３０を備え、インストルメントパネル隔壁９０に複数の取付アーム部３０を介してレセプタクルコネクタハウジング２０との嵌合方向及びこの嵌合方向と直交する面内で揺動可能な状態に支持固定される。この自己調芯型コネクタ１は、従来のコネクタ用ガイド等の部品が不要であるため、安価に製造可能である。【選択図】  図１
2005166348.tif 000002
【特許請求の範囲】
【請求項１】
互いに嵌合可能な構造からなる第１ハウジング及び第２ハウジングを備え、
前記第１ハウジングは、穴部が形成された取付部材の前記穴部に取り付けられると共に前記取付部材に対して前記第１ハウジングを前記第２ハウジングとの嵌合方向及びこの嵌合方向と直交する面内で揺動可能な状態に支持する複数の弾性支持部を有してなり、
前記複数の弾性支持部は、前記第１ハウジングに一体成形により備えられると共に、前記第１ハウジングの側部から前記直交する面と平行に立設され且つ縦断面がＵ字型となるように前記直交する面と平行に折り返された形状の可撓性の応力吸収部と、この応力吸収部と連続し前記穴部の周縁部に嵌る縦断面がコの字型となるように折り曲げられた形状の係合部とを備えて構成されている
ことを特徴とする自己調芯型コネクタ。
【請求項２】
前記取付部材は、自動車のインストルメントパネルであることを特徴とする請求項１記載の自己調芯型コネクタ。
【発明の詳細な説明】
【技術分野】
【０００１】
本発明は、例えばワイヤハーネスを有する自動車用モジュール部品等の補機同士やその補機と他の部品等との接続に際し自動組付作業などに用いられ、不完全嵌合を防止して嵌合信頼性を向上させる自己調芯型コネクタに関する。
【背景技術】
【０００２】
従来より、自動車等に用いられるワイヤハーネスなどの接続に際しては、いわゆる調芯コネクタが使用され、更にオートメーションでは、いわゆるプラグ型コネクタとレセプタクル型コネクタとの間に発生する嵌合誤差や取付誤差（取付ガタ）を自己整合的に調芯する自己調芯型コネクタが使用されている（例えば、特許文献１及び２参照。）。
【０００３】
【特許文献１】特開２０００−１２３９１７号公報（第４−５頁、第１−４図）
【特許文献２】特開２０００−２１５９４４号公報（第５−７頁、第１−７図）
【発明の開示】
【発明が解決しようとする課題】
【０００４】
しかしながら、特許文献１及び２に記載の補機用コネクタでは、ばね片と鍔部とを有するコネクタ用ガイドでハウジングを揺動可能に支持し、嵌合時の調芯をばね片の弾性等で行う構造であるため、コネクタ用ガイドなどの部品が必要となり、部品点数が増えてコストが上昇してしまうという問題がある。
【０００５】
本発明は、このような問題点に鑑みてなされたもので、少ない部品点数で安価に製造することができる自己調芯型コネクタを提供することを目的とする。
【課題を解決するための手段】
【０００６】
本発明に係る自己調芯型コネクタは、互いに嵌合可能な構造からなる第１ハウジング及び第２ハウジングを備え、前記第１ハウジングは、穴部が形成された取付部材の前記穴部に取り付けられると共に前記取付部材に対して前記第１ハウジングを前記第２ハウジングとの嵌合方向及びこの嵌合方向と直交する面内で揺動可能な状態に支持する複数の弾性支持部を有してなり、前記複数の弾性支持部は、前記第１ハウジングに一体成形により備えられると共に、前記第１ハウジングの側部から前記直交する面と平行に立設され且つ縦断面がＵ字型となるように前記直交する面と平行に折り返された形状の可撓性の応力吸収部と、この応力吸収部と連続し前記穴部の周縁部に嵌る縦断面がコの字型となるように折り曲げられた形状の係合部とを備えて構成されていることを特徴とする。
【０００７】
なお、この自己調芯型コネクタが取り付けられる取付部材としては、例えば自動車のインストルメントパネルなどが最適である。
【発明の効果】
【０００８】
本発明によれば、取付部材の穴部に取り付けられる自己調芯型コネクタの第１ハウジングが、一体成形により形成された第２ハウジングとの嵌合方向及びこの嵌合方向と直交する面内で第１ハウジングを揺動可能な状態に支持する複数の弾性支持部を有する。このため、従来のものと比べてコネクタハウジングを揺動可能に支持するためのコネクタ用ガイド等の部品が不要となり、部品点数を少なくして安価に製造することが可能となる。
【発明を実施するための最良の形態】
【０００９】
以下、添付の図面を参照して、本発明の好ましい実施の形態を説明する。
【００１０】
図１は、本発明の一実施形態に係る自己調芯型コネクタを示す外観斜視図、図２は、この自己調芯型コネクタのハウジング嵌合時の状態を示す一部断面図、図３及び図４は、この自己調芯型コネクタの嵌合動作を説明するための一部断面図である。
【００１１】
自己調芯型コネクタ１は、例えば互いに嵌合可能な構造の樹脂成型部材からなる第１ハウジングとしてのプラグコネクタハウジング１０及び第２ハウジングとしてのレセプタクルコネクタハウジング２０を備えて構成されている。
【００１２】
プラグコネクタハウジング１０は、穴部９１が形成された取付部材としてのインストルメントパネル隔壁（以下、「パネル隔壁」と呼ぶ。）９０の穴部９１に取り付けられると共にパネル隔壁９０に対してプラグコネクタハウジング１０をレセプタクルコネクタハウジング２０との嵌合方向（図１中矢印Ｚ方向）及びこの嵌合方向と直交する面（図１中矢印Ｘ方向及びＹ方向）内で揺動可能な状態に支持する複数の弾性支持部としての複数の取付アーム部３０を有する構造からなる。
【００１３】
また、このプラグコネクタハウジング１０は、複数の接続端子４０（図２〜図４参照）を内部に収容する複数の端子収容室１１を備えると共に、この複数の端子収容室１１の先端側にレセプタクルコネクタハウジング２０に収容された接続端子５０が挿入される端子挿入口１２を備えている。
【００１４】
プラグコネクタハウジング１０の複数の端子収容室１１にそれぞれ収容される各接続端子４０は、この例では筒状の接続部４１と、端末部においてそれぞれ芯線７１が露出（口出し）された複数の電線７０の芯線７１と例えば個別に圧着等により接続される電線接続部４２と、電線７０を加締め等により固定保持する電線固定部４３と、これら接続部４１、電線接続部４２及び電線固定部４３を連結する板状の連結部４４とを備えて構成されている。
【００１５】
なお、例えば接続端子４０の筒状の接続部４１内には、端子挿入口１２から端子収容室１１内に挿入された接続端子５０との接続の際に、接続端子５０の板状の接続部５１と接触するための接触片４５が形成されている。
【００１６】
複数の取付アーム部３０は、例えばプラグコネクタハウジング１０の側部に一体成形により形成されてなり、それぞれプラグコネクタハウジング１０の側部から上記直交する面と平行に立設され且つ縦断面がＵ字型となるようにこの直交する面と平行に折り返された形状を有する可撓性の応力吸収部としての湾曲部３１と、この湾曲部３１と連続しパネル隔壁９０の穴部９１の周縁部に嵌る縦断面がコの字型となるように折り曲げられた形状を有する係合部としての穴係合部３２とを備えて構成されている。
【００１７】
このように構成された複数の取付アーム部３０は、図１中矢印Ｘ方向、Ｙ方向及びＺ方向のいずれの方向にも撓む構造であるため、プラグコネクタハウジング１０は、パネル隔壁９０に対して複数の取付アーム部３０により同様に図１中矢印Ｘ方向、Ｙ方向及びＺ方向に揺動可能な状態で支持される。
【００１８】
従って、図３に示すように、パネル隔壁９０に複数の取付アーム部３０を介して取り付けたプラグコネクタハウジング１０とレセプタクルコネクタハウジング２０との嵌合の際に、上記Ｘ方向及びＹ方向の嵌合誤差Ｎ１がある場合や、図４に示すように、上記Ｚ方向の嵌合誤差Ｎ２がある場合においても、複数の取付アーム部３０が撓むことにより、これらの嵌合誤差Ｎ１，Ｎ２を確実に吸収してプラグコネクタハウジング１０とレセプタクルコネクタハウジング２０とを正確且つ確実に嵌合することが可能となる。
【００１９】
なお、プラグコネクタハウジング１０と嵌合するレセプタクルコネクタハウジング２０は、オーディオコンソールパネル（以下、「パネル」と呼ぶ。）８０に取付固定され、内部に接続端子５０を収容すると共にプラグコネクタハウジング１０が嵌合する凹状の嵌合部２１を有してなる。
【００２０】
このように構成された自己調芯型コネクタ１では、パネル隔壁９０の穴部９１に、一体成形により形成された複数の取付アーム部３０を介して取り付けられたプラグコネクタハウジング１０が、複数の取付アーム部３０によりパネル隔壁９０に対してレセプタクルコネクタハウジング２０との嵌合方向（上記Ｚ方向）及びこの嵌合方向と直交する面（上記Ｘ方向及びＹ方向）内で揺動可能な状態に支持される。このため、従来のものと比べてプラグコネクタハウジング１０を揺動可能に支持するための部品が不要となり、自己調芯型コネクタ１の部品点数を少なくして安価に製造することが可能となる。
【００２１】
なお、この例の自己調芯型コネクタ１では、上記プラグコネクタハウジング１０に一体成形により複数の取付アーム部３０が備えられた場合について説明したが、例えばレセプタクルコネクタハウジング２０に複数の取付アーム部３０が備えられ、パネル隔壁９０にレセプタクルコネクタハウジング２０が複数の取付アーム部３０を介して揺動可能に取り付けられる構成でも良い。
【００２２】
また、この例の自己調芯型コネクタ１の取付アーム部３０は、両コネクタハウジング１０，２０の挿入力に応じて、適宜その総数を変更することが可能である。
【産業上の利用可能性】
【００２３】
本発明は、遊嵌状態で取り付けられる自己調芯型コネクタを使用する各種の用途に利用できる。
【図面の簡単な説明】
【００２４】
【図１】本発明の一実施形態に係る自己調芯型コネクタを示す外観斜視図である。
【図２】同自己調芯型コネクタのハウジング嵌合時の状態を示す一部断面図である。
【図３】同自己調芯型コネクタの嵌合動作を説明するための一部断面図である。
【図４】同自己調芯型コネクタの嵌合動作を説明するための一部断面図である。
【符号の説明】
【００２５】
１…自己調芯型コネクタ、１０…プラグコネクタハウジング、１１…端子収容室、１２…端子挿入口、２０…レセプタクルコネクタハウジング、２１…嵌合部、３０…取付アーム部、３１…湾曲部、３２…穴係合部、４０，５０…接続端子、４１，５１…接続部、４２…電線接続部、４３…電線固定部、４４…連結部、４５…接触片、８０…オーディオコンソールパネル、９０…インストルメントパネル隔壁、９１…穴部。
【図１】
2005166348.tif 000003
【図２】
2005166348.tif 000004
【図３】
2005166348.tif 000005
【図４】
2005166348.tif 000006